(57)【特許請求の範囲】
【請求項１】
相互に電気的に連結される複数個の単位電池と、
前記単位電池にそれぞれ対応して前記単位電池を収容する複数個の貫通ホールが形成されたハウジングと、
前記ハウジングに結合されて前記単位電池の電極端子をカバーするダクト部材とを含み、
前記ダクト部材には、前記貫通ホールに向かって冷却媒体を注入するための冷却流路が形成されると共に、前記単位電池から発生するガスを所定の方向に排出させるガス排出通路が形成され、
前記ダクト部材に形成されて、前記冷却流路と前記ガス排出通路を区分する分離部をさらに含み、
前記分離部は、前記ダクト部材の内側面から前記単位電池の電極端子の方向に向かって突出されて形成され、前記冷却流路が前記ダクト部材を貫通するように形成されること、
を特徴とする電池モジュール。
【請求項２】
前記冷却流路は、前記単位電池と前記貫通ホールとの間に形成される離隔空間と連通されることを特徴とする請求項１に記載の電池モジュール。
【請求項３】
前記分離部は、前記単位電池とそれぞれ対応するように複数個が形成され、
前記複数個の分離部は、複数列に配列されることによって列と列との間に前記ガス排出通路が形成されることを特徴とする請求項１に記載の電池モジュール。
【請求項４】
前記ダクト部材には前記ガス排出通路と連通される排出口が形成され、前記単位電池から発生するガスは、前記ガス排出通路と前記排出口を通じて外部に排出されることを特徴とする請求項３に記載の電池モジュール。
【請求項５】
前記分離部は、前記単位電池の電極端子の周りの一部を囲み、一側に開口部を有する形状に形成されることを特徴とする請求項３に記載の電池モジュール。
【請求項６】
前記単位電池と前記貫通ホールはそれぞれ円筒形であり、前記分離部は前記単位電池に対応する中空のＣ字形状の断面を有することを特徴とする請求項５に記載の電池モジュール。
【請求項７】
前記複数個の分離部のうち相互に隣接する一対の分離部は、それぞれの開口部が相互に向き合うように形成されることを特徴とする請求項５に記載の電池モジュール。
【請求項８】
前記一対の分離部に対応する単位電池は、ターミナルプレートによって電気的に連結され、
前記ターミナルプレートは、前記一対の分離部の開口部によって形成された空間に位置することを特徴とする請求項７に記載の電池モジュール。
【請求項９】
前記複数個の分離部は、前記ダクト部材に配列される位置によってその大きさがそれぞれ異なって形成されることを特徴とする請求項７に記載の電池モジュール。
【請求項１０】
前記ダクト部材をカバーしながら、前記冷却流路に前記冷却媒体を供給するための内部空間が設けられたカバー部材をさらに含むことを特徴とする請求項１または請求項８に記載の電池モジュール。
【請求項１１】
前記カバー部材は、前記ダクト部材を媒介として前記ハウジングと一体に結合されることを特徴とする請求項１０に記載の電池モジュール。
【発明の詳細な説明】
【技術分野】
【０００１】
本発明は、複数個の単位電池を連結して構成される電池モジュールにかかり、さらに詳しくは、単位電池を冷却させるための流路構造と単位電池から発生したガスを排出させるためのガス排出構造を備えた電池モジュールに関する。
【背景技術】
【０００２】
２次電池は、充電が不可能な一次電池とは異なり、充電及び放電が可能な電池である。一つのセルで構成された低容量２次電池は、携帯電話機やノートパソコン及びキャムコーダーなどのように、携帯が可能な小型電子機器に用いられる。一方、複数個のセルがパック形態に連結された大容量２次電池は、ハイブリッド電気自動車などのモータ駆動用電源として使用されている。
【０００３】
このような大容量２次電池は、大電力を必要とする電気自動車などのモータ駆動に用いることができるように、直列に連結されて、一般に電池モジュールとして構成される。このため、電池モジュールとは、一般的に、直列に連結される複数個の２次電池（以下、明細書全般において説明の便宜上‘単位電池’と言う）の集合構造のことを指す。
【０００４】
このような電池モジュールについてより詳細に述べると、それぞれの単位電池は、正極と負極がセパレータを間に介して位置する電極群と、上記電極群を収納する空間を備えたケースと、上記ケースに結合されて上記電極群と電気的に連結される電極端子が備えられたキャップ組立体とを含んで構成される。そして、それぞれの単位電池は、通常、ハウジング内に一定の間隔をおいて配列されて、各単位電池の端子が連結されて電池モジュールを構成するようになっている。
【０００５】
電池モジュールは、少ないもので数個から多くは数十個の単位電池を連結させて一つの電池モジュールを構成するので、各単位電池で発生する熱を容易に放出できるようにしなければならない。このような電池モジュールの熱放出特性は、単位電池はもちろん、電池モジュールを採用した製品そのものの性能を左右するため、モジュール設計の際に重要な点として考慮されている。
【０００６】
単位電池の熱放出が電池モジュール内で円滑に行われなければ、各単位電池の間には温度偏差が発生する。そうすれば、電池モジュールは、電動掃除機、電動スクーターまたは、自動車用（電気自動車またはハイブリッド電気自動車）などのような製品の動力源として、必要な容量の電力を円滑に出力できなくなる。また、単位電池においても、内部で発生する熱によって、電池内部の温度が上昇するようになって、充電及び放電性能が低下するといった問題がある。
【０００７】
そして、単位電池は、充電と放電を繰り返す過程でその内部でガスが発生する。特に、電池モジュールは複数個の単位電池が連結された構成であるため、単位電池から発生するガスを迅速ながらも円滑に排出しなければならない。それは、このようなガスが円滑に排出されなければ、単位電池の内部圧力が増加するようになって、爆発が起きる危険性が内在するためである。
【発明の開示】
【発明が解決しようとする課題】
【０００８】
しかし、従来の電池モジュールは、単位電池の熱放出とガス排出をそれぞれ完璧に解決できる設計構造を提示できていないのが実情である。一方、従来の技術において、単位電池の熱放出とガス排出を考慮した設計構造を提示した電池モジュールもあったが、このような電池モジュールはその構造が複雑で、モジュールの大きさが肥大化するという問題があった。
【０００９】
そこで、本発明は、このような問題に鑑みてなされたもので、その目的とするところは、単位電池から発生する熱を放出させ、かつ、ガスを排出させることができる電池モジュールを提供することにある。また、本発明は、制限された空間内で、単位電池の熱を放出させるための流路構造とガスを排出させるための通路をそれぞれ備えながらも、従来と比較してその大きさが肥大化せず、コンパクトである電池モジュールを提供することにある。
【課題を解決するための手段】
【００１０】
上記課題を解決するために、本発明のある観点によれば、相互に電気的に連結される複数個の単位電池と、上記単位電池にそれぞれ対応して上記単位電池を収容する複数個の貫通ホールが形成されたハウジングと、上記ハウジングに結合されて上記単位電池の電極端子をカバーするダクト部材とを含み、上記ダクト部材には、上記貫通ホールに向かって冷却媒体を注入するための冷却流路が形成されると共に、上記単位電池から発生するガスを所定の方向に排出させるガス排出通路が形成されること、を特徴とする電池モジュールが提供される。
【００１１】
このような本発明にかかる電池モジュールによれば、電池モジュールの電極端子側に、冷却媒体を注入するための冷却流路及び、単位電池から発生するガスを所定の方向に排出させるガス排出通路が形成されたダクト部材を設けたことにより、単位電池を冷却しつつ単位電池から発生するガスを容易に排出させることができる。このとき、上記ダクト部材は単位電池の電極端子をカバーする部材として構成されるため、電池モジュールの大きさを必要以上に大きくすることなく、コンパクトな形態で、冷却媒体を注入する冷却流路及びガスを排出させるガス排出通路を備えるようにすることができる。かかる冷却流路及びガス排出通路を備えた電池モジュールは、従来と比較してより安定的に作動すると共に、必要な容量の電力を円滑に出力することができる。
【００１２】
このとき、上記電池モジュールは、上記ダクト部材に形成されて、上記冷却流路と上記ガス排出通路を区分する分離部をさらに含むように構成されるのがよい。かかる分離部を設けることにより、供給される冷却媒体と排出されるガスが混ざるのを防止することができる。
【００１３】
ここで、上記分離部は、上記ダクト部材の内側面から上記単位電池の電極端子の方向に向かって突出されて形成され、上記冷却流路が上記ダクト部材を貫通するように形成されるのがよい。これにより、上記分離部の貫通された部分を通じて、冷却媒体をダクト部材の外部から、単位電池が位置するハウジングの内部に供給することができる。
【００１４】
また、上記冷却流路は、上記単位電池と上記貫通ホールとの間に形成される離隔空間と連通されるように形成されるのがよい。これにより、上記冷却流路を通じて供給される冷却媒体が上記単位電池を囲む上記離隔空間に供給されるので、単位電池をその周囲から冷却することができる。
【００１５】
このとき、上記分離部は、上記単位電池とそれぞれ対応するように複数個が形成され、上記複数個の分離部は、複数列に配列されることによって列と列との間に上記ガス排出通路が形成されるように構成されるのがよい。
【００１６】
そして、上記ダクト部材には上記ガス排出通路と連通される排出口が形成され、上記単位電池から発生するガスは、上記ガス排出通路と上記排出口を通じて外部に排出されるようにするのがよい。
【００１７】
ここで、上記分離部は、上記単位電池の電極端子の周りの一部を囲み、一側に開口部を有する形状に形成されるのがよい。これにより、上記単位電池の電極端子で発生したガスは、上記開口部を通じて、上記単位電池の電極端子の周りの一部を囲む上記分離部の外へ排出されて、上記ガス排出通路に排出される。
【００１８】
また、上記単位電池と上記貫通ホールはそれぞれ円筒形であり、上記分離部は上記単位電池に対応する中空のＣ字形状の断面を有するように構成されるのがよい。そして、上記複数個の分離部のうち相互に隣接する一対の分離部は、それぞれの開口部が相互に向き合うように形成されるのがよい。また、上記一対の分離部に対応する単位電池は、ターミナルプレートによって電気的に連結され、上記ターミナルプレートは、上記一対の分離部の開口部によって形成された空間に位置するように構成されるのがよい。
【００１９】
ここで、上記複数個の分離部は、上記ダクト部材に配列される位置によってその大きさがそれぞれ異なって形成されることができる。すなわち、電池モジュールにおいては、単位電池が配置される電池モジュール内の位置などが要因となって、それぞれの単位電池で発生した熱の放出量が異なる場合がある。従って、各単位電池間の温度偏差が少なくなるように、電池モジュール内の各単位電池ごとの冷却の必要度に応じて、上記分離部の大きさを異ならせて、各単位電池ごとに冷却の度合いを異ならせるようにすれば、各単位電池間の温度偏差を減らすことができる。
【００２０】
また、上記電池モジュールは、上記ダクト部材をカバーしながら、上記冷却流路に上記冷却媒体を供給するための内部空間が設けられたカバー部材をさらに含むように構成されるのがよい。このとき、上記カバー部材は、上記ダクト部材を媒介として上記ハウジングと一体に結合されるのがよい。
【発明の効果】
【００２１】
以上説明したように本発明によれば、電池モジュールの電極端子側に、冷却媒体を注入するための冷却流路及び、単位電池から発生するガスを所定の方向に排出させるガス排出通路が形成された、単位電池の電極端子をカバーするダクト部材を設けたことにより、単位電池を冷却しつつ単位電池から発生するガスを容易に排出させることができる電池モジュールを提供できるものである。これにより、電池モジュールは従来と比較してより安定的に作動すると共に、必要な容量の電力を円滑に出力できるといった効果を奏する。
【００２２】
また、本発明の電池モジュールによれば、制限された空間内に単位電池の熱を放出させるための流路構造とガスを排出させるための通路をそれぞれ備える構成となっており、従来と比較すると、その大きさが肥大化されずにコンパクトな構成にすることができるといった効果を奏する。
【発明を実施するための最良の形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
図１は、本発明の実施の形態にかかる電池モジュールを示す斜視図である。
【００２５】
図１に示されたように、本発明の実施の形態にかかる電池モジュール１００は、単位電池を設定された所定の温度以下に冷却させるための冷却流路と、単位電池から発生するガスを外部に排出させるためのガス排出通路をそれぞれ備えた構造を有する。そのため、電池モジュール１００は、以下のような構成要素を備えることができる。
【００２６】
電池モジュール１００は、複数個の単位電池を収容するハウジング１１０と、ハウジング１１０に結合されて外部の妨害要素から単位電池を保護するカバー部材１２０と、ハウジング１１０とカバー部材１２０との間に一体に結合されて単位電池の電極端子をカバーするダクト部材２００とを含む。
【００２７】
図２は、図１に示された電池モジュールのカバー部材が除去された状態を示す斜視図である。
【００２８】
図１及び図２に示されたように、ダクト部材２００には冷却流路２１０が形成される。この冷却流路２１０を通じて注入された冷却媒体は、ハウジング１１０の内部に収容された単位電池に供給されることによって、単位電池で発生する熱を除去することができる。この時、冷却媒体としては、大気中の空気または予め設定された所定の温度に冷却された冷却用空気を用いることができる。冷却媒体は、外部から冷却流路２１０に直接供給されるか、あるいは、カバー部材１２０を通じて冷却流路２１０に供給されることができる。つまり、カバー部材１２０には、所定の大きさ以上の内部空間が設けられ、外部から冷却媒体が供給される。そして、カバー部材１２０は、冷却流路２１０に冷却媒体を分散供給するように構成される。
【００２９】
図３は、図２に示された電池モジュールのダクト部材が除去された状態を示す斜視図である。
【００３０】
図１〜図３に示されたように、電池モジュール１００は、相互に電気的に連結される複数個の単位電池１３０を備える。このような単位電池１３０は、ハウジング１１０の内部に収容される。
【００３１】
ハウジング１１０には複数個の貫通ホールが形成され、複数個の単位電池１３０がそれぞれ対応する貫通ホールに収納される。ここで、図３に示された電池モジュール１００は、複数個の単位電池１３０が２段に積層されるように配列されているが、複数個の単位電池１３０は、電池モジュール１００の電力容量に応じて、多層多列に形成されることができる。
【００３２】
複数個の単位電池１３０の中で相互に隣接する一対の単位電池１３０は、ターミナルプレート１４０によって電気的に連結される。ターミナルプレート１４０は、締結部材１５０によって単位電池１３０の電極端子に結合される。以下、ハウジング１１０、単位電池１３０、ダクト部材２００の間の結合関係及びその位置関係についてさらに詳細に説明する。
【００３３】
図４は、図２の線ＩＶ−ＩＶに沿って切断された、単位電池が収納されたハウジングとダクト部材との間の結合関係を概略的に示す断面図である。
【００３４】
図１〜図４に示されたように、ハウジング１１０には単位電池１３０を収容する複数個の貫通ホール１１２が形成される。本発明の実施の形態において、単位電池１３０は円筒形に形成されるが、単位電池１３０は角形または多様な形態に形成されることができる。本発明の実施の形態においては、貫通ホール１１２は単位電池１３０に対応する円筒形に形成される。このとき、貫通ホール１１２は、単位電池１３０の円筒断面よりも大きく形成されることによって、単位電池１３０と貫通ホール１１２との間には冷却媒体が流動することができる離隔空間が形成される。そして、冷却流路２１０は、ハウジング１１０とダクト部材２００とが相互に結合された状態において、単位電池１３０と貫通ホール１１２との間に形成された離隔空間と連通されるように位置される。これにより、冷却流路２１０を通じて流入された冷却媒体は、単位電池１３０の表面で発生する熱を除去することができる。
【００３５】
このとき、電池モジュール１００内で、複数個の単位電池１３０は直列に連結される。従って、ハウジング１１０内では、単位電池１３０は、隣接する単位電池１３０間で正極と負極がそれぞれ同一の方向に向かって位置されるのではなく、正極と負極がそれぞれ異なる方向に向くように交互に異なる方向に配置される。そして、相互に隣接する単位電池１３０は、上述したように、負極端子と正極端子がターミナルプレート１４０によって電気的に連結される。
【００３６】
本発明の実施の形態にかかる電池モジュール１００には、上記のような単位電池１３０を冷却するための流路構造が設けられるとともに、単位電池１３０の内部から発生するガスを電池モジュール１００の外部に排出させるためのダクト部材２００が以下のように設けられる。
【００３７】
図５は、図２に示されたダクト部材をハウジングと対向する内側面から見た斜視図である。図６は、図５に示されたダクト部材をハウジングと対向する内側面から見た平面図である。
【００３８】
図１〜図６に示されたように、ダクト部材２００は、冷却流路２１０、２１１とガス排出通路とを別々に区分する分離部２２０、２２１を備える。分離部２２０、２２１は、単位電池１３０の電極端子に向かって突き出されながら、冷却流路２１０、２１１が貫通できるように形成された形状を有する。要するに、分離部２２０、２２１は、ダクト部材２００の内側面からハウジング１１０の方向、すなわち単位電池１３０の電極端子の方向に向けて、突出されて形成される。かかる分離部２２０、２２１の突出部は、冷却媒体が通過する領域と周囲の領域とを分離して、冷却媒体の供給通路がダクト部材２００を貫通して形成されるようにする隔壁としての役割を果たすことができる。分離部２２０、２２１は、単位電池１３０にそれぞれ対応して、複数個が形成される。複数個の分離部２２０、２２１は、単位電池１３０にそれぞれ対応して配列され、本発明の実施形態の場合には、２段に配列される。複数個の分離部２２０、２２１がこのように配列されることによって、列と列との間にガス排出通路（図５及び図６で矢印が一列に配列された領域）が形成される。
【００３９】
次に、このような分離部２２０、２２１のそれぞれの形状について以下に説明する。分離部２２０、２２１は、単位電池１３０の電極端子の周りの一部を囲む形状に形成されて、一側に開口部を有し、その断面はほぼＣ字形状と類似に形成される。このような形状を有することにより、分離部２２０、２２１はその内側領域２３０、２３１にそれぞれ単位電池１３０の電極端子を受容しながら、冷却流路２１０、２１１が単位電池１３０と貫通ホール１１２との間に存在する離隔空間に直接的に連通されるようにする。すなわち、分離部２２０、２２１は中空のＣ字形状を有し、かかるＣ字形状の中空部がダクト部材２２０の外側から内側へ貫通しており、冷却媒体が流入する冷却流路２１０、２１１をなすように構成されている。そして、単位電池１３０の電極端子近傍において排出されるガスは、分離部２２０、２２１の開口部を通じてガス排出通路に流入しながら、ガス排出通路に沿ってダクト部材２００の外部に排出される。
【００４０】
このように、分離部２２０、２２１は冷却流路２１０、２１１とガス排出通路をそれぞれ別々に形成し、このとき、冷却流路２１０、２１１を通じて供給される冷却媒体と単位電池１３０から排出されるガスが相互に混ざらないように冷却流路２１０、２１１とガス排出通路とを遮断する。
【００４１】
そして、複数個の分離部のうち、相互に隣接する一対の分離部２２０、２２１は、それぞれの開口部が相互に向き合うように形成される。これは、一対の単位電池１３０を電気的に連結するターミナルプレート１４０が、一対の分離部２２０、２２１の開口面によって形成された空間に位置するようにするためである。
【００４２】
そして、ダクト部材２００には、ガス排出通路に連通される排出口２４０が形成されて、単位電池１３０から発生するガスが排出口２４０を通じて外部に排出されるようにする。この時、ダクト部材２００には、単位電池１３０から発生するガスがガス排出通路に沿って一方向に流動するように、ガスの流れを強制的に誘導する送風手段がさらに設けられてもよい。
【００４３】
電池モジュール１００は、複数個の単位電池１３０が配列される位置によって、発生する熱の度合いが互いに異なるため、同一の冷却媒体が供給されると、複数個の単位電池１３０の間に熱的な不均衡が生じる恐れがある。このような問題を解決するために、電池モジュール１００は、複数個の分離部２２０、２２１の大きさ、または、開口部の大きさの比率が互いに異なるように構成されることができる。つまり、冷却流路２１０、２１１は、分離部２２０、２２１の大きさ、または、開口部の大きさにより、冷却媒体の流動量が異なることになるので、単位電池１３０とそれぞれ対応する複数個の分離部２２０、２２１を、それぞれ異なる形状に形成することができる。
【００４４】
例えば、ハウジング１１０の中央領域に位置する単位電池１３０は、位置的な要因から、他の単位電池１３０と比較して熱の放出が容易に行われない場合がある。しかし、本発明の実施の形態にかかる電池モジュール１００は、特定領域の単位電池１３０に対応する分離部２２０、２２１の大きさを大きく形成したり、または、開口部を相対的に小さく形成することによって、特定領域の単位電池１３０の冷却の程度をさらに向上させることができる。
【００４５】
図７は、 本発明の実施の形態にかかる電池モジュールに適用することができるダクト部材の形状を示した図であり、実施例１を図７（ａ）、実施例２を図７（ｂ）、実施例３を図７（ｃ）に示す。
【００４６】
図７に示されたように、実施例１は、複数個の分離部が円形断面のうちの中心角７６°だけの開口面を有するようにそれぞれ形成される（図７（ａ））。実施例２は、複数個の分離部のうち下部列に位置した５個の分離部が円形断面のうちの中心角１８０°だけの開口面を有するようにそれぞれ形成され、残りの分離部が円形断面のうちの中心角７６°だけの開口面を有するようにそれぞれ形成される（図７（ｂ））。実施例３は、複数個の分離部のうち上部列及び下部列に位置したそれぞれ５個ずつの分離部がそれぞれ円形断面のうちの中心角１８０°だけの開口面を有するようにそれぞれ形成され、残りの分離部が円形断面のうちの中心角７６°だけの開口面を有するようにそれぞれ形成される（図７（ｃ））。
【００４７】
図８は、図７に示された実施例１、実施例２、実施例３のダクト部材がそれぞれ適用された電池モジュールにおける、各単位電池の内部発熱温度を調べた写真である。各単位電池の内部発熱温度を測定した値は、図９に図表として示した。図９の表に示された各単位電池の内部発熱温度は、各単位電池の表面温度として、全体的な平均温度と、長手方向の１／３地点で測定された温度と、長手方向の２／３地点で測定された温度とが示されている。
【００４８】
各単位電池の内部発熱温度は、図９に示された状態と同じであると考えることができる。図９の表を参照すると、特に、実施例３は、特定の領域の単位電池に対応して、分離部の大きさを異ならせて形成することによって、単位電池の温度偏差が実施例１または実施例２と比較してさらに少ないことが分かる。
【００４９】
図１０は、分離部の形状及び大きさを異ならせ、冷却ファンの電圧を異ならせた時の各単位電池の内部発熱温度を示すグラフであり、冷却ファンの駆動電圧を、８Ｖ、１０Ｖ、１２Ｖ、１４Ｖと異ならせて内部発熱温度を測定したものである。
【００５０】
図１０に示されたように、それぞれの単位電池は冷却ファンの駆動電圧（８Ｖ、１０Ｖ、１２Ｖ、１４Ｖ）により、発熱の程度に少しずつ差が見られるが、共通的に第１２セル〜第２１セルが、第１セル〜第１０セルに比べて単位電池の発熱温度が低いことを確認することができる。つまり、第１セル〜第１０セルは、分離部が円形断面のうちの中心角７６°だけの開口面を有するように形成されたものであり、第１２セル〜第２１セルは分離部が円形断面のうちの中心角１８０°だけの開口面を有するように形成されたものである。このように、本発明の実施の形態にかかる電池モジュールは、分離部の形状または大きさを異ならせることによって、単位電池の温度分布を調節することができる。
【００５１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５２】
本発明は、複数個の単位電池を連結して構成される電池モジュールに適用可能である。
【図面の簡単な説明】
【００５３】
【図１】本発明の実施の形態にかかる電池モジュールを示す斜視図である。
【図２】図１に示された電池モジュールのカバー部材が除去された状態を示す斜視図である。
【図３】図２に示された電池モジュールのダクト部材が除去された状態を示す斜視図である。
【図４】図２の線ＩＶ−ＩＶに沿って切断された、単位電池が収納されたハウジングとダクト部材との間の結合関係を概略的に示す断面図である。
【図５】図２に示されたダクト部材をハウジングと対向する内側面から見た斜視図である。
【図６】図５に示されたダクト部材をハウジングと対向する内側面から見た平面図である。
【図７】本発明の実施の形態にかかる電池モジュールに適用することができるダクト部材の形状の、実施例１、実施例２、実施例３を示した斜視図である。
【図８】図７に示された実施例１、実施例２、実施例３のダクト部材がそれぞれ適用された電池モジュールにおける、各単位電池の内部発熱温度を調べた写真である。
【図９】図７及び図８に示された各単位電池の内部発熱温度をそれぞれ測定した結果を示す図表である。
【図１０】分離部の形状及び大きさを異ならせ、冷却ファンの電圧を異ならせた時の各単位電池の内部発熱温度を示すグラフである。
【符号の説明】
【００５４】
１００  電池モジュール
１１０  ハウジング
１１２  貫通ホール
１２０  カバー部材
１３０  単位電池
１４０  ターミナルプレート
１５０  締結部材
２００  ダクト部材
２１０、２１１  冷却流路
２２０、２２１  分離部
２３０、２３１  内側領域
２４０  排出口
【図１】
0004955641.tif 000002
【図２】
0004955641.tif 000003
【図３】
0004955641.tif 000004
【図４】
0004955641.tif 000005
【図５】
0004955641.tif 000006
【図６】
0004955641.tif 000007
【図７】
0004955641.tif 000008
【図８】
0004955641.tif 000009
【図９】
0004955641.tif 000010
【図１０】
0004955641.tif 000011